(57)【要約】【課題】ゴルフ支援情報を簡単に取得することができ、プレイヤのスコアを正確に記録することもできるゴルフ支援装置を提供する。【解決手段】ゴルフコース情報を記録する記録部５と、プレイヤの現在地情報を取得するＧＰＳ受信部６と、プレイヤの所定の動作を検出する動作検出部１２と、動作検出部による検出結果と、ゴルフコース情報と、プレイヤの現在地情報とに基づいてゴルフ支援情報を生成するゴルフ支援情報生成部１５と、生成されたゴルフ支援情報を表示する表示部３とを備えるゴルフ支援装置１。ゴルフ支援装置は、所定の動作を検出した際にスコアをカウントして記録したり、所定の音声を検出した際に、ゴルフ支援情報を提供したり、スコアを記録することもできる。【選択図】図１
2016116598.tif 000002
【特許請求の範囲】
【請求項１】
ゴルフコース情報を記録する記録部と、
プレイヤの現在地情報を取得するＧＰＳ受信部と、
前記プレイヤの所定の動作を検出する動作検出部と、
該動作検出部による検出結果と、前記ゴルフコース情報と、前記プレイヤの現在地情報とに基づいてゴルフ支援情報を生成するゴルフ支援情報生成部と、
該生成されたゴルフ支援情報を出力するゴルフ支援情報出力部とを備えることを特徴とするゴルフ支援装置。
【請求項２】
ゴルフコース情報を記録する記録部と、
プレイヤの現在地情報を取得するＧＰＳ受信部と、
前記プレイヤの所定の動作を検出する動作検出部と、
該動作検出部による検出結果と、前記ゴルフコース情報と、前記プレイヤの現在地情報とに基づいて前記プレイヤのスコアをカウントして記録するスコア記録部とを備えることを特徴とするゴルフ支援装置。
【請求項３】
前記プレイヤの所定の動作は、該プレイヤが該ゴルフ支援装置を叩く動作又は該プレイヤが該ゴルフ支援装置を振動させる動作であることを特徴とする請求項１又は２に記載のゴルフ支援装置。
【請求項４】
ゴルフコース情報を記録する記録部と、
プレイヤの現在地情報を取得するＧＰＳ受信部と、
プレイヤの所定の音声を検出する音声検出部と、
該音声検出部による検出結果と、前記ゴルフコース情報と、前記プレイヤの現在地情報とに基づいてゴルフ支援情報を生成するゴルフ支援情報生成部と、
該生成されたゴルフ支援情報を出力するゴルフ支援情報出力部とを備えることを特徴とするゴルフ支援装置。
【請求項５】
ゴルフコース情報を記録する記録部と、
プレイヤの現在地情報を取得するＧＰＳ受信部と、
プレイヤの所定の音声を検出する音声検出部と、
該音声検出部による検出結果と、前記ゴルフコース情報と、前記プレイヤーの現在地情報とに基づいて前記プレイヤのスコアを記録するスコア記録部とを備えることを特徴とするゴルフ支援装置。
【請求項６】
前記ゴルフ支援情報は、前記プレイヤの現在地からカップまでの距離又は／及びカップの方角を含むことを特徴とする請求項１乃至５のいずれかに記載のゴルフ支援装置。
【発明の詳細な説明】
【技術分野】
【０００１】
本発明は、ゴルフ支援装置に関し、特に、携帯端末を利用してプレイヤにゴルフ支援情報を提供したり、プレイヤのスコアを記録する装置に関する。
【背景技術】
【０００２】
近年、ゴルフをプレーする際に、スマートフォンやタブレット等の携帯端末に搭載されたアプリケーションを用いてゴルフ支援情報を取得したり、スコアを記録することが行われている。ここで、ゴルフ支援情報とは、プレイヤの位置からカップまでの距離や、カップの方角、地面の傾斜等のゴルフをプレーする上でプレイヤに有益な情報を指す。
【０００３】
一般に、上記ゴルフ支援情報の取得及びスコアの記録は、携帯端末に搭載された操作部をプレイヤが操作することによって行われるが、スコアの記録を自動的に行うものも存在する。これは、プレイヤのスイング等を検出し、その検出結果に基づいてプレイヤのスコアをカウントして記録するものである。
【発明の概要】
【発明が解決しようとする課題】
【０００４】
しかし、上記ゴルフ支援情報の取得及びスコアの記録を行うには、携帯端末を取り出し、表示画面を起動させ、操作部を操作しなくてはならず、面倒であった。
【０００５】
一方、自動的にスコアを記録する場合には、上述のような煩わしさはないが、例えばプレイヤの素振りも一打としてカウントしてしまう可能性が有り、正しいスコアを得られない虞もあった。
【０００６】
そこで、本発明は、上記従来技術における問題点に鑑みてなされたものであって、ゴルフ支援情報を簡単に取得することができ、プレイヤのスコアを正確に記録することもできるゴルフ支援装置を提供することを目的とする。
【課題を解決するための手段】
【０００７】
上記目的を達成するため、本発明は、ゴルフ支援装置であって、ゴルフコース情報を記録する記録部と、プレイヤの現在地情報を取得するＧＰＳ受信部と、前記プレイヤの所定の動作を検出する動作検出部と、該動作検出部による検出結果と、前記ゴルフコース情報と、前記プレイヤの現在地情報とに基づいてゴルフ支援情報を生成するゴルフ支援情報生成部と、該生成されたゴルフ支援情報を出力するゴルフ支援情報出力部とを備えることを特徴とする。
【０００８】
本発明によれば、例えば、プレイヤの所定の動作をゴルフ支援装置を振る動作とし、ゴルフ支援情報出力部の出力方法を音声とすれば、従来のようにプレイヤがゴルフ支援装置を取り出し、表示画面を起動させ、操作部を操作することなく簡単にゴルフ支援情報を得ることができる。
【０００９】
また、本発明は、ゴルフ支援装置であって、ゴルフコース情報を記録する記録部と、プレイヤの現在地情報を取得するＧＰＳ受信部と、前記プレイヤの所定の動作を検出する動作検出部と、該動作検出部による検出結果と、前記ゴルフコース情報と、前記プレイヤの現在地情報とに基づいて前記プレイヤのスコアをカウントして記録するスコア記録部とを備えることを特徴とする。
【００１０】
本発明によれば、例えば、プレイヤの所定の動作をゴルフ支援装置を叩く動作とすれば、ゴルフ支援装置をポケット等から取り出したりせずにスコアの入力を行うことができ、操作性が向上する。また、プレイヤの素振りを一打としてカウントすることもないため、スコアの記録の正確性が高まる。
【００１１】
また、本発明は、ゴルフ支援装置であって、ゴルフコース情報を記録する記録部と、プレイヤの現在地情報を取得するＧＰＳ受信部と、プレイヤの所定の音声を検出する音声検出部と、該音声検出部による検出結果と、前記ゴルフコース情報と、前記プレイヤの現在地情報とに基づいてゴルフ支援情報を生成するゴルフ支援情報生成部と、該生成されたゴルフ支援情報を出力するゴルフ支援情報出力部とを備えることを特徴とする。本発明によれば、音声入力のため、プレイヤによる操作を省略できる。また、ゴルフ支援情報を音声出力すれば、プレイヤがゴルフ支援装置をポケット等から取り出す必要もない。
【００１２】
また、本発明は、ゴルフ支援装置であって、ゴルフコース情報を記録する記録部と、プレイヤの現在地情報を取得するＧＰＳ受信部と、プレイヤの所定の音声を検出する音声検出部と、該音声検出部による検出結果と、前記ゴルフコース情報と、前記プレイヤの現在地情報とに基づいて前記プレイヤのスコアを記録するスコア記録部とを備えることを特徴とする。本発明によれば、音声入力のため、プレイヤによる操作を省略できる。
【００１３】
上記ゴルフ支援装置において、ゴルフ支援情報として、前記プレイヤの現在地からカップまでの距離又は／及びカップの方角とすることができる。
【発明の効果】
【００１４】
以上のように、本発明によれば、プレイヤのスコアを正確に記録すると共に、操作性を向上させたゴルフ支援装置を提供することが可能になる。
【図面の簡単な説明】
【００１５】
【図１】本発明に係るゴルフ支援装置の第１の実施形態における機器構成を示すブロック図である。
【図２】図１に示すゴルフ支援装置のゴルフ支援情報取得動作を説明するための概略図であって、（ａ）はプレイヤがゴルフ支援装置１を取り出して振っている動作を、（ｂ）はその際にゴルフ支援装置１に表示されるゴルフ支援情報の一例を各々示す。
【図３】図１に示すゴルフ支援装置のスコア記録動作を説明するための概略図である。
【図４】本発明に係るゴルフ支援装置の第２の実施形態における機器構成を示すブロック図である。
【発明を実施するための形態】
【００１６】
本発明に係るゴルフ支援装置は、例えば、専用のアプリケーションをインストールしたスマートフォンやタブレット等の携帯端末であり、このゴルフ支援装置をプレイヤが携帯した状態でゴルフをプレーすることにより、プレイヤの所定の動作や音声を検出し、プレイヤにゴルフ支援情報を提供したり、プレイヤのスコアを記録する。
【００１７】
図１は、本発明に係るゴルフ支援装置１の第１の実施形態を示し、このゴルフ支援装置１は、プレイヤの所定の動作を検出してプレイヤにゴルフ支援情報を提供したり、プレイヤのスコアを記録するものであって、プレイヤの所定の動作とは、例えば、ゴルフ支援装置１を叩いたり、ゴルフ支援装置１を振動させる動作である。
【００１８】
ゴルフ支援装置１は、各種センサ２、表示部３、操作部４、記録部５、ＧＰＳ（Global Positioning SyStem）受信部６、通信部７及び制御部１０を備える。
【００１９】
各種センサ２は、例えば、ゴルフ支援装置１に印可される加速度を検出する加速度センサ、ゴルフ支援装置１に印可される角速度を検出するジャイロセンサ、ゴルフ支援装置１の周囲の音を検出する音センサ、ゴルフ支援装置１への近接を検出する近接センサであって、測定されたデータを出力する。
【００２０】
この各種センサ２において、上記プレイヤの所定の動作を検出するため、予めプレイヤはこれらの動作を実際に行い、これらの動作を行った際の各種センサ２の測定データを記録部５に記録しておく。これにより、後述する制御部１０の動作検出部１２は、予め記録部５に記録した測定データと、プレイヤに実際にプレーした際の測定データとを統計的に比較し、これらが略々一致した際に、プレイヤが所定の動作を行ったことを検出する。
【００２１】
表示部３は、例えばＬＣＤ（Liquid Crystal Display）や有機ＥＬ（Electro Luminescence）ディスプレイからなり、ゴルフ支援情報や、スコア画面等を表示する。この表示部３としては、例えば、ディスプレイ上にタッチセンサを有するタッチパネルが積層されたタッチパネルディスプレイを用いることができる。
【００２２】
操作部４は、このゴルフ支援装置１をプレイヤが操作するための操作子が設けられ、操作子に対する操作に応じた制御信号を出力する。操作子としては、例えば、ゴルフ支援装置１の電源をＯＮ／ＯＦＦするための電源キーや、番号や文字を入力するための各種キーが設けられる。
【００２３】
この各種キーは、例えば、ゴルフ支援装置１の筐体にハードウェアキーとして設けるようにしてもよいし、表示部３がタッチパネルディスプレイの場合には、ソフトウェアキーとして表示部に表示されるようにしてもよい。
【００２４】
記録部５は、例えばＨＤＤ（Hard Disk Drive）やフラッシュメモリであり、プレイ結果を示すスコア記録や、様々なゴルフ場のコースデータ等が記録される。
【００２５】
ＧＰＳ受信部６は、ＧＰＳ衛星からのＧＰＳ信号を図示しないＧＰＳアンテナを介して所定時間毎に定期的に受信して出力する。
【００２６】
通信部７は、所定のプロトコルに従って外部のサーバとの無線通信を行い、後述する制御部１０による制御に基づいて様々なゴルフ場のコースデータを受信する。
【００２７】
制御部１０は、このゴルフ支援装置１の全体を制御し、入力制御部１１、動作検出部１２、カウンタ１３、スコア処理部１４、ゴルフ支援情報生成部１５、表示制御部１６、記録制御部１７及び通信制御部１８で構成される。
【００２８】
入力制御部１１は、操作部４から供給されるプレイヤの操作に応じた制御信号に基づいて入力内容や選択内容を判別し、操作信号を出力する。入力制御部１１は、操作信号がスコアに関する情報を示す場合に、操作信号をスコア処理部１４に供給し、操作信号が表示に関する情報を示す場合に、操作信号を表示制御部１６に供給する。
【００２９】
動作検出部１２は、各種センサ２から受け取った測定データに基づいてプレイヤの所定の動作を検出し、検出結果をカウンタ１３や、ゴルフ支援情報生成部１５、表示制御部１６に対して出力する。
【００３０】
ここで、本実施の形態では、ゴルフ支援装置１を叩く動作を検出した際の検出結果をカウンタ１３に、ゴルフ支援装置１を取り出して振動させる（振る）動作を検出した際の検出結果を表示制御部１６に対して各々出力することとする。
【００３１】
カウンタ１３は、動作検出部１２から受け取った検出結果に基づいて各ホールにおけるプレイヤの打数をカウントし、カウント値をスコア処理部１４に供給する。
【００３２】
スコア処理部１４は、カウンタ１３から受け取ったカウント値に基づき、プレイヤの各ホール毎のスコアを導出し、プレイヤのスコア画像を生成する。スコア処理部１４は、生成されたスコア画像を表示制御部１６に供給する。
【００３３】
ゴルフ支援情報生成部１５は、動作検出部１２から検出結果を受け取ると、ＧＰＳ受信部６からプレイヤの現在地情報を取得し、取得した現在地情報と、記録部５から読み出したコースデータに基づいてプレイヤの現在地におけるゴルフ支援情報を生成する。生成したゴルフ支援情報は、表示制御部１６に供給する。ここで、ゴルフ支援情報とは、上述のように、プレイヤの現在地からカップまでの距離や、カップの方角、地面の傾斜等のゴルフをプレーする上でプレイヤに有益な情報を指す。
【００３４】
表示制御部１６は、表示部３への画像表示を制御する。表示制御部１６は、スコア処理部１４から供給されたスコア画像や、ゴルフ支援情報生成部１５からのゴルフ支援情報を表示部３に表示させたり、操作部４からの信号に応じて表示部３の表示画像を切り替える処理等を行う。
【００３５】
記録制御部１７は、例えば、記録部５に記録されたゴルフ場のコースデータの読み出しや、スコアデータの記録部５に対する記録等を行う。通信制御部１８は、通信部７における通信制御を行う。
【００３６】
次に、上記構成を有するゴルフ支援装置１において、ゴルフ支援情報を取得する場合の動作について図１及び図２を参照しながら説明する。
【００３７】
ゴルフ支援装置１をゴルフコースで実際に使用する前に、プレイヤは、予めゴルフ支援装置１を取り出して振動させ、この動作を行った際の各種センサ２による測定データを記録部５に記録しておく。
【００３８】
ゴルフコースで、ゴルフ支援装置１の電源キーが押されることにより、ゴルフ支援装置１の電源がＯＮとなり、表示部３にコースを設定するためのコース設定画面が表示される。コース設定画面に表示されたコース選択キーが押されることにより、コース選択状態となる。この状態で、例えば、画面に表示された様々なコースの中から所定のコースが選択されると、ゴルフ支援情報生成部１５は、選択されたコースに対応するコースデータを記録制御部１６を介して記録部５から読み出す。
【００３９】
次に、プレイヤがゴルフをプレーしている際に、プレイヤがゴルフ支援情報を取得したい場合には、図２（ａ）に示すように、ゴルフ支援装置１を取り出して振動させる。すると、動作検出部１２が、各種センサ２を用いてこの動作を検出し、制御部１０の動作検出部１２が記録部５に記録した測定データと、プレー中の測定データとを統計的に比較し、これらが略々一致した際に、プレイヤが所定の動作を行ったことを検出する。動作検出部１２は、検出結果をゴルフ支援情報生成部１５に出力し、ゴルフ支援情報生成部１５によって生成されたゴルフ支援情報を表示制御部１６を介して表示部３に表示させる（図２（ｂ）参照）。
【００４０】
以上のように、本実施の形態によれば、プレイヤがゴルフ支援装置１を取り出して振動させるだけでゴルフ支援情報を取得することができるため、従来のようにプレイヤが操作部を介して操作をする必要がなく、操作性が向上する。
【００４１】
次に、上記構成を有するゴルフ支援装置１において、プレイヤのスコアを記録する際の動作について説明する。
【００４２】
ゴルフ支援装置１をゴルフコースで実際に使用する前に、プレイヤは、予めゴルフ支援装置１を叩き、この動作を行った際の各種センサ２による測定データを記録部５に記録しておく。
【００４３】
ゴルフコースで、上述のようにプレイヤがゴルフコースを選択すると、スコア処理部１４は、選択されたコースに対応するコースデータを記録制御部１６を介して記録部５から読み出す。
【００４４】
コースの設定後、プレイヤはゴルフを実際にプレーする。そして、プレイヤは、ボールを打つ毎にゴルフ支援装置１をポケットの上から叩く。すると、動作検出部１２が、各種センサ２を用いてこの動作を検出し、制御部１０の動作検出部１２が記録部５に記録した測定データと、測定された測定データとを統計的に比較し、これらが略々一致した際に、プレイヤが所定の動作を行ったことを検出する。動作検出部１２は、検出結果をカウンタ１３に供給する。
【００４５】
カウンタ１３は、この検出結果に基づいてカウント値をカウントアップし、カウント値をスコア処理部１４に供給する。そして、スコア処理部１４は、カウンタ１３から供給されたカウント値に基づいてプレイヤのスコアを記録する。
【００４６】
ホールの開始時／終了時は、例えば、プレイヤがゴルフ支援装置１を３回連続して叩くことで、プレイヤが現在プレーするホールの開始時／終了時を識別することができる。尚、連続して３回叩かれた場合でも、カウンタ１３がカウントアップするカウント値は「１」である。
【００４７】
また、ＯＢ等のペナルティは、その分プレイヤが余計にゴルフ支援装置１を叩くだけでスコアに反映させることができる。このとき、ホールの開始時／終了時の入力と区別するため、ある程度長い時間間隔を空けてゴルフ支援装置１を叩くようにしてもよい。
【００４８】
１つのホールにおける上記動作の一連の流れを図３に示す。手のマークは、プレイヤがゴルフ支援装置１を叩いたことを意味し、×の後の数字は、ゴルフ支援装置１を叩いた回数を表している。このホールでは、６回打ったことが記録される。
【００４９】
以上のように、本実施の形態によれば、プレイヤがゴルフ支援装置１をポケット等から取り出したり、操作部４を操作することなく、ゴルフ支援装置１を叩くだけでプレイヤのスコアを記録することができ便利である。
【００５０】
尚、上記実施の形態においては、ゴルフ支援装置１を叩く動作や、ゴルフ支援装置１を振動させる動作を検出したが、その他の動作を検出するように設定することもできる。また、ゴルフ支援装置１を３回叩くことでホールの開始／終了を識別したが、叩く回数はこれに限定されない。さらに、叩く強さによりホールの開始／終了を識別することも可能である。
【００５１】
また、プレイヤの動作を検出するための各種センサ２として、加速度センサ、ジャイロセンサ、音センサ及び近接センサを利用したが、この他にも、電子コンパス、磁気センサ、湿度センサ等を利用することもできる。
【００５２】
また、スコアが記録されていることをプレイヤに知らせるために、ゴルフ支援装置１を叩いた際に、図示しない音声出力部を介して、「第○ホール、×回打ち終わりました」等の音声ガイドを出力してもよい。
【００５３】
図４は、本発明に係るゴルフ支援装置の第２の実施形態を示し、このゴルフ支援装置２１は、図１に示すゴルフ支援装置１の各種センサ２及び動作検出部１２に代えて、音声入出力部２２、２３及び音声制御部２４を備える。尚、その他の構成要素については、ゴルフ支援装置１と同一であるため、同一の参照番号を付し、機能の異なる構成要素についてのみ説明する。
【００５４】
音声入力部２２は、例えばマイクロフォンであり、周囲の音声を収音し、音声データとして音声制御部２４に出力する。音声出力部２３は、例えばスピーカであり、音声制御部２４からの信号に基づき、記録部５に記録される音声パターンを出力する。
【００５５】
プレイヤは、ゴルフ支援情報を取得したい場合に発せられる音声、スコアの記録に関する音声を予め音声入力部２２に入力し、記録部５に記録しておく。この音声は、例えば、「カップまであと何ヤード？」や「カップの方角は？」等である。また、スコアの記録に関する音声としては、「２打目終了」、「このホールのスコアは？」等である。
【００５６】
音声制御部２４は、プレーの際に音声入力部２２から入力された音声データと、上記予め記録した音声とを比較し、これらが略々一致した際に、プレイヤがゴルフ支援情報を取得したい状況にあることや、スコアを記録すべき状況にあることを認識し、検出結果をゴルフ支援情報生成部１５に出力する。一方、一打単位のスコアの記録に関する音声を検出した際には、検出結果をカウンタ１３に出力し、ホール単位のスコアの記録に関する音声を検出した際には、検出結果をそのままスコア処理部１４に出力する。
【００５７】
ゴルフ支援情報生成部１５は、この検出結果に基づいてゴルフ支援情報を生成し、生成したゴルフ支援情報を音声制御部２４に出力し、音声制御部２４は、受け取ったゴルフ支援情報を音声出力部２３を介して出力するよう制御する。
【００５８】
音声出力部２３が出力するゴルフ支援情報の例としては、「カップまであと１００ヤードです」や、「カップは左前方です」等が挙げられる。
【００５９】
カウンタ１３は、上記検出結果に基づいてカウント値をカウントアップし、カウント値をスコア処理部１４に供給する。そして、スコア処理部１４は、カウンタ１３から供給されたカウント値に基づいてプレイヤのスコアを記録するか、スコアが音声入力された場合にはカウンタ１３を介さずに検出結果に基づいてプレイヤのスコアを記録する。
【００６０】
尚、ホールの開始時／終了時は、例えば、プレイヤが第○ホール開始／終了と発することで、ゴルフ支援装置１は、プレイヤが現在プレーするホールを識別することができる。
【００６１】
以上のように、本実施の形態によれば、プレイヤの音声によってゴルフ支援情報の取得や、スコアの記録を行うことができるため便利である。
【００６２】
尚、上記実施の形態においては、ゴルフ支援情報を音声にて出力する場合について説明したが、表示部３に表示させることもできる。また、スコアの記録の場合でも、記録したかどうか確認するため、例えば、「第○ホール、×回打ち終わりました」といった音声を出力してもよい。
【００６３】
さらに、プレイヤの動作を検出する場合と、プレイヤの音声を検出する場合とで、２つの実施形態に分けて説明したが、これらを組み合わせてもよい。例えば、ゴルフ支援情報の取得をプレイヤの所定の音声を検出することにより行い、スコアの記録をプレイヤの所定の動作を検出することにより行ってもよい。
【符号の説明】
【００６４】
１  ゴルフ支援装置
２  各種センサ
３  表示部
４  操作部
５  記録部
６  ＧＰＳ受信部
７  通信部
１０  制御部
１１  入力制御部
１２  動作検出部
１３  カウンタ
１４  スコア処理部
１５  ゴルフ支援情報生成部
１６  表示制御部
１７  記録制御部
１８  通信制御部
２１  ゴルフ支援装置
２２  音声入力部
２３  音声出力部
２４  音声制御部
【図１】
2016116598.tif 000003
【図２】
2016116598.tif 000004
【図３】
2016116598.tif 000005
【図４】
2016116598.tif 000006